(57)【要約】【課題】操作者が入力モードを切り替える操作を軽減し、本体を閉じた状態でも、装置の方向を変えずに使用できる入力装置を提供する。【解決手段】本発明の入力装置は、２以上の音声入力モードを有する入力装置であって、本体を見開き可能な一方扉体と他方扉体とから形成し、本体を開いた状態と、閉じた状態とでは、音声入力モードが切り替わるもの、あるいは音声を入力するマイクロホンは、一方扉体上に配置され、本体を閉じた状態で、前記マイクロホンが、本体外部に露出しているものである。【選択図】  図１
2005018599.tif 000002
【特許請求の範囲】
【請求項１】
２以上の音声入力モードを有する入力装置であって、
本体を見開き可能な一方扉体と他方扉体とから形成し、
本体を開いた状態と、閉じた状態とで、音声入力モードが切り替わることを特徴とする入力装置。
【請求項２】
請求項１の入力装置において、
前記切り替わる音声入力モードの少なくとも一つは、音声認識を伴う音声入力モードであることを特徴とする入力装置。
【請求項３】
請求項１の入力装置において、
前記切り替わる音声入力モードの少なくとも一つは、音声認識を伴わない音声入力モードであることを特徴とする入力装置。
【請求項４】
請求項１の入力装置において、
前記切り替わる音声入力モードは、いずれも音声認識を伴う音声入力モードであり、本体を開いた状態と、閉じた状態とでは、音声を認識する対象語彙が異なることを特徴とする入力装置。
【請求項５】
請求項２ないし４のいずれかに記載の入力装置において、前記音声認識を伴う音声入力モードで入力される対象が、オーダであることを特徴とする入力装置。
【請求項６】
請求項２ないし５のいずれかに記載の入力装置において、前記音声認識を伴う音声入力モードで入力される対象には、代替入力手段が設けられていることを特徴とする入力装置。
【請求項７】
請求項６に記載の入力装置において、
前記代替入力手段は、他方扉体の内面に設けられていることを特徴とする入力装置。
【請求項８】
音声入力モードを有する入力装置であって、
本体を見開き可能な一方扉体と他方扉体とから形成し、
音声を入力するマイクロホンは、一方扉体上に配置され、
本体を閉じた状態で、前記マイクロホンが、本体外部に露出していることを特徴とする入力装置。
【請求項９】
請求項８の入力装置であって、
前記マイクロホンは、一方扉体の内面に設けられ、
前記一方扉体の内面の平面面積が、他方扉体の内面の平面面積より大きく、
本体を閉じた状態で、前記マイクロホンが、本体外部に露出していることを特徴とする入力装置。
【請求項１０】
請求項８の入力装置であって、
前記マイクロホンは、一方扉体の内面に設けられ、
前記他方扉体には、開口部が設けられており、
本体を閉じた状態で、前記マイクロホンが、本体外部に露出していることを特徴とする入力装置。
【請求項１１】
請求項８ないし１０のいずれかに記載の入力装置であって、
前記一方扉体の側面で、他方扉体との連結面以外の側面に、音声入力を制御するためのスイッチが設けられていることを特徴とする入力装置。
【発明の詳細な説明】
【０００１】
【発明の属する技術分野】
本発明は、音声入力機能を備えた入力装置、より詳しくは飲食店、販売店などで、店員が、客の注文を入力する入力装置に関する。
【０００２】
【従来の技術】
従来のオーダ入力装置４０は、図１０に示すように、見開き可能な２枚扉体構造で、一方の扉体５０に表示部５１と押圧メニューキー５２とが、他方の扉体６０に押圧メニューキー６１とを設けた携帯端末型が一般である。オーダ入力装置は、携帯する必要があることから、入力装置自体の大きさや適切に押圧操作して入力するために、表示画面の大きさや固定メニューキーの数が制限される。このため、１つのキーに複数のメニューが割り当てられている。したがって、所望のメニューを選択するためには、各キーに割り当てられた複数のメニューから、メニューを切り替える切り替えキーを用いて切り替えて、所望のメニューを選択する必要がある。
【０００３】
また、オーダ入力装置は、上記したようなメニューの選択といったオーダデータの入力に加え、オーダ数の入力や選択、客層や客の人数の入力、他テーブルのオーダの照会、空席の照会などのオーダデータを処理する必要もある。これらのオーダデータは、通信機能によりサーバに送信される。
【０００４】
これらの処理を行うにあたっても、表示画面の大きさが制限されることから、それぞれのモードごとに処理を切り分けて、店員は各種モードを切り替えて、処理を行う必要がある。
【０００５】
このような処理は、店員が操作に習熟しなければ、入力する時間を短縮することができず、また入力項目を正確に入力することが容易ではない。このため、店員の習熟度に関わらずに、入力操作を容易に行えるオーダ入力装置が開発されている（例えば、特許文献１参照）。このオーダ入力装置では、音声認識手段を設け、音声入力された音声をオーダデータとして利用するとともに、オーダデータに基づいて音声合成を行い次の操作・指示を給仕人に与える。音声認識を用いてメニューを選択すれば、複数回のキー操作を行って多くのメニューから注文の商品を選択する必要がなく、メニューを入力する時間が短縮できる。
【０００６】
また、店員間で連絡を取り合うために、オーダ入力装置に加え、音声通話機能を備えた無線通信装置を併用している場合もある。
【０００７】
【特許文献１】
特開２００２−３１２４５１号公報（請求項１、段落０００５）
【０００８】
【発明が解決しようとする課題】
しかし、オーダ入力装置に、オーダデータを音声認識して入力する機能と、音声通話機能とを、単に付加すると、以下のような問題がある。
【０００９】
第１の問題としては、入力モードを切り替える際に生ずる問題がある。例えば、デフォルトの入力モードが音声通話である場合に、メニューや数量などのオーダデータを入力するためには、毎回入力モードを切り替えてオーダデータを発声する必要がある。このため、操作が煩雑になるという問題がある。逆に、デフォルトの入力モードが音声認識である場合に、操作者が他の店員との連絡のために、音声通信を利用する場合にも、同様に毎回入力モードを切り替えて通話を行う必要がある。このため、操作が煩雑になるという問題がある。
【００１０】
第２の問題としては、入力装置上に配置される、音声入力のためのマイクロホンの位置に関する問題がある。従来のオーダ入力装置において、本体内側にマイクロホンを配置すると、本体を閉じた状態で音声入力が行えない。一方、本体の側面にマイクロホンを配置すると、マイクロホンは、操作者の口の方向に向かない。一般に、音声入力をする場合には、マイクロホンは、操作者の口の方向に向いているほうが好ましい。このため、音声入力をする際には、マイクロホンが口の方向に向くようにオーダ入力装置の方向を変えて使用する必要がある。
【００１１】
本発明は、かかる課題を解決するためになされたものであり、その目的は、操作者が入力モードを切り替える操作を軽減し、本体を閉じた状態でも、装置の方向を変えずに使用できる入力装置を提供することにある。
【００１２】
【課題を解決するための手段】
（１）かかる課題を解決するために、本発明の入力装置は、２以上の音声入力モードを有する入力装置であって、本体を見開き可能な一方扉体と他方扉体とから形成し、本体を開いた状態と、閉じた状態とで、音声入力モードが切り替わることとした。
【００１３】
この構成によると、本体を開いた状態と、閉じた状態とで、音声入力モードを切り替えることができる。この結果、例えば本体を開いた状態では、音声認識を伴う音声入力モードにすることで、店員が客からのオーダを音声により入力できる。また、本体を閉じた状態では、閉じた状態での音声入力モードになるので、操作者が入力モードを切り替える操作を軽減することができる。
【００１４】
上記入力装置では、切り替わる音声入力モードの少なくとも一つは、音声認識を伴う音声入力モードであるとよい。この構成によれば、複数回のキー操作により、所望のデータを選択しなくても、音声認識により容易にデータを入力できる。
【００１５】
上記入力装置では、切り替わる音声入力モードの少なくとも一つは、音声認識を伴わない音声入力モードであってもよい。この構成によれば、オーダ入力装置と併用していた無線通信装置を用いなくてもよい。
【００１６】
上記入力装置は、切り替わる音声入力モードは、いずれも音声認識を伴う音声入力モードであり、本体を開いた状態と、閉じた状態とでは、音声を認識する対象語彙が異なることとしてもよい。従来は、音声入力モードによって認識する対象語彙が異なる場合には、入力モードを切り替えて音声認識の対象を代える必要があった。しかし、この構成によれば、入力モードを切り替える操作を省略できる。
【００１７】
上記入力装置では、音声認識を伴う音声入力モードで入力される対象が、オーダであるとよい。この構成によれば、複数回のキー操作を行って多くのメニューから注文の商品を選択する必要がなく、音声認識により商品を容易に選択することができる。
【００１８】
また、上記入力装置では、音声認識を伴う音声入力モードで入力される対象には、代替入力手段が設けられていることとすることができる。この構成によれば、例えば周囲が騒がしく、音声認識による入力ができない場合でも、代替入力手段を用いて、データの入力を行うことができる。
【００１９】
上記入力装置では、代替入力手段は、他方扉体の内面に設けられていればよい。この構成によれば、本体を開いた状態で、データを音声認識により入力している際に、迅速に代替入力手段に切り替えられる。
【００２０】
（２）また、本発明の入力装置は、音声入力モードを有する入力装置であって、本体を見開き可能な一方扉体と他方扉体とから形成し、音声を入力するマイクロホンは、一方扉体上に配置され、本体を閉じた状態で、前記マイクロホンが、本体外部に露出していることとしてもよい。
【００２１】
この構成によれば、本体を開いた状態でも、閉じた状態でも、マイクロホンから、音声を入力することができる。
【００２２】
上記入力装置では、マイクロホンは、一方扉体の内面に設けられ、前記一方扉体の内面の平面面積が、他方扉体の内面の平面面積より大きく、本体を閉じた状態で、前記マイクロホンが、本体外部に露出していてもよい。
【００２３】
また、上記入力装置では、前記マイクロホンは、一方扉体の内面に設けられ、前記他方扉体には、開口部が設けられており、本体を閉じた状態で、前記マイクロホンが、本体外部に露出していることとしてもよい。
【００２４】
これらの構成によれば、本体を閉じた状態でも、マイクロホンが露出するので、本体を開いた状態でも、閉じた状態でも、マイクロホンから、音声を入力することができる。また、本体の正面にマイクロホンが露出するので、音声を入力する際に、入力装置の方向を変えて使用する必要がない。
【００２５】
上記入力装置では、前記一方扉体の側面で、他方扉体との連結面以外の側面に、音声入力を制御するためのスイッチが設けられていればよい。この構成によれば、本体を閉じた状態であっても、本体を開けずに音声入力を開始できる。
【００２６】
【発明の実施の形態】
以下に、本発明の実施の形態を、図面を参照しながら説明する。なお、本発明は、これらによって限定されるものではない。
【００２７】
（実施の形態１）
図１は、本発明の入力装置の外観を説明するための図である。この図は、開いた状態の入力装置を示している。本発明の入力装置１０は、本体を見開き可能な一方扉体２０と他方扉体３０から形成される。当該一方扉体２０には、表示装置２１と、数量を入力する、あるいはモードを選択するキー２２と、本体の開閉を感知する開閉センサ２３、音声入力を制御する音声入力ボタン２４、マイクロホン２５、スピーカ２６が配置されている。この図の例では、マイクロホン２５は内蔵されているが、マイクロホンは外付けされてもよい。マイクロホンを外付けする場合は、イヤホンマイクにして音の入出力を可能にしてもよい。マイクロホンを外付けする場合に、本体に受信器を設けて、無線で接続してもよい。他方扉体３０の内面には、押圧操作で、オーダメニューを入力できるタッチキー３１が配置されている。
【００２８】
図２は、第１の実施の形態における入力装置の構成を示すブロック図である。図２に示す入力装置１００は、一般には、１台のサーバ２００に対して、複数の入力装置が通信できるオーダデータ処理システムとして構成される。この図においては、オーダデータ処理システムを構成するプリンタや会計手段などの他の構成要素は省略されている。
【００２９】
図２に示す入力装置１００は、制御部１０１と、マイクロホン１０２と、音声入力ボタン１０３と、開閉センサ１０４と、音声入力部１０５と、入力モード切り替え部１０６と、音声認識部１０７と、キー１０８と、タッチキー１０９と、音声出力部１１０と、表示部１１１と、通信部１１２とを備える。
【００３０】
制御部１０１は、プロセッサなどから構成され、制御プログラムに従って動作し、この入力装置全体１００の動作を制御する。
【００３１】
マイクロホン１０２は、操作者からの音声信号を入力し、音声入力部１０５に供給するデバイスである。音声入力ボタン１０３は、上記マイクロホン１０２からの音声データの取り込みを開始または終了など、音声入力を制御するためのスイッチである。開閉センサ１０４は、本体が閉じた状態でＯＮとなるようなスイッチで構成し、本体が開いた状態か、閉じた状態かを判断する。音声入力部１０５は、Ａ／Ｄ変換器などで構成され、上記マイクロホン１０２により集音されたアナログの音声信号をデジタル化する。
【００３２】
入力モード切り替え部１０６は、上記音声入力部１０５でデジタル化された音声信号を、開閉センサ１０４の状態に応じて、音声認識部１０７または制御部１０１へ出力する。音声認識部１０７は、上記入力モード切り替え部１０６から出力された音声信号を、図示しない語彙セットと照合し、音声を認識して、メニューの商品名やコマンドを出力する。
【００３３】
キー１０８は、キー及びキーボードのコントローラなどで構成し、数量を入力する、あるいはモードの切り替えを操作する。タッチキー１０９は、タッチパネルとそのコントローラなどで構成し、押圧操作してメニューを入力する。
【００３４】
音声出力部１１０は、Ｄ／Ａ変換器およびスピーカなどで構成し、Ｄ／Ａ変換器でデジタル音声信号をアナログ音声信号に変換して、スピーカに出力する。
【００３５】
表示部１１１は、例えば注文フォームなどを表示する機能を有し、液晶パネルや、表示ドライバーなどから構成される。
【００３６】
通信部１１２は、無線ＬＡＮなどで構成し、サーバ２００や他の音声入力装置との間で、オーダデータや音声信号データを送受信する。
【００３７】
（動作１）
次に、本実施の形態における入力装置の動作を図３のフローチャートを参照して説明する。図３は、第１の実施の形態における入力装置の基本動作を説明するフローチャートである。ここでは、本実施の形態の入力装置における音声の入力モード切り替え処理を説明する。
【００３８】
ステップＳ１０１で、上記開閉センサ１０４の状態により、本体が閉じた状態か、開いた状態かを判断する。本体が閉じている場合にはステップＳ１０２に進み、開いている場合には、音声認識モードに進む。音声認識モードは、音声認識を用いた各種の入力モードであり、その１つであるオーダ入力モードについては、後述する。
【００３９】
ステップＳ１０２で、操作者が、音声入力ボタン１０３の操作を行うまで、待機状態になる。次に、操作者が行った、音声入力ボタン１０３の操作を受け付けるとステップＳ１０３に進む。
【００４０】
ステップＳ１０３では、音声入力を開始し、音声通話やボイスメモなどの、音声認識を伴わない音声入力アプリケーションの処理を行う。例えば、音声入力アプリケーションが、音声通話の場合、操作者が上記音声入力ボタン１０３を押してから発声した音声を、本体に設けられた通信部１１２を用いて、サーバ２００や他の入力装置に送信する。
【００４１】
（オーダ入力処理）
次に、音声認識を用いたオーダ入力処理を説明する。図４は、第１の実施の形態における入力装置の音声認識を用いたオーダ入力処理を説明するフローチャートである。ここでは、オーダ入力処理の基本的な動作を説明する。したがって、処理の中断や処理の退避については、説明を省略する。
【００４２】
オーダ入力モードでの処理が開始すると、ステップＳ２０１で、表示部１１１には、オーダ入力画面が表示される。ステップＳ２０２では、この状態で、入力装置１００は、操作者が、ボタン、キー、またはタッチパネルのいずれかの操作を行うまで、待機状態になる。次に、操作者が、ボタン、キー、またはタッチパネルのいずれかの操作を行う。ステップＳ２０３では、操作者が行った操作がモード切り替えキーを押したかどうかを判断する。モード切り替えキーが押された場合には、他モードに進み、他モードでの操作を行う。操作者が行った操作がモード切り替えキーを押していない場合は、ステップＳ２０４に進み、音声入力ボタン１０３が押されたかどうかが判断される。
【００４３】
音声入力ボタン１０３が押されていない場合は、ステップＳ２０５に進み、キーまたはタッチパネルによりメニューが選択され、オーダが追加される（Ｓ２０６）。オーダが追加された後は、メニュー入力画面に戻る。
【００４４】
音声入力ボタン１０３が押されたことを検出した場合には、ステップ２０７に進む。ステップ２０７では、音声入力が開始され、音声認識処理が行われる。音声認識結果は、表示部１１１に表示される。
【００４５】
ステップＳ２０８では、表示部１１１に表示された認識結果を、操作者が確認する。認識結果確認ステップで、入力した音声と一致する商品またはコマンドであった場合には、操作者がＯＫを選択し、ステップＳ２０９に進む。認識結果が、複数の商品候補あるいはコマンド候補である場合には、その中から所望の商品またはコマンドを選択する構成としてもよい。認識結果として、所望の商品またはコマンドが表示されなかった場合は、操作者がＮＧを選択すると、メニュー入力画面（Ｓ２０１）に戻る。その後は、Ｓ２０１〜Ｓ２０６を行うので、操作者は、再度音声入力ボタン１０３を押して、音声入力を行う、キーまたはタッチパネルによりメニューを選択する、あるいはモードを切り替えるかの、いずれかを選択できる。
【００４６】
ステップＳ２０９では、操作者が確認した認識結果が、コマンドかどうかを判断する。コマンドであればコマンドが実行される。認識結果が所望の商品であれば、ステップＳ２０６で、オーダが追加される。ステップＳ２０６で、オーダが追加された後は、メニュー入力画面に戻る。
【００４７】
コマンドは、例えば他のモードへの移行処理を指示するものなどが挙げられる。オーダ入力モード以外のモードとしては、注文数入力メニュー、オプションメニュー選択モード、オーダ確認モード、オーダ送信モード、空席照会モード、品切れ照会モード、他テーブルのオーダ照会モードなどを挙げることができる。
【００４８】
（音声認識の対象）
本発明の入力装置にかかる音声認識の対象は、例えば全てのメニューおよびコマンドとするか、メニューをさらに包括する商品のカテゴリに分け、階層的にメニューを構成して、上位から複数回の発声あるいは音声とキーとを組み合わせて、下位にある所望の商品を選択する構成としても良い。
【００４９】
メニューをさらに包括する商品のカテゴリに分け、階層的にメニューを構成するとは、具体的には、「ドリンク」という上位の商品と、その下位に「ホットコーヒー」「コーラ」などの商品が構成されている場合である。この場合に、「ドリンク」という商品カテゴリを発声した後に、「ホットコーヒー」「コーラ」などの商品名を発声する方法、「ドリンク」のキーを押した後で「ホットコーヒー」「コーラ」などの商品を発声する方法、あるいは複数のカテゴリごとに対応するオーダ入力ボタンを設け、「ドリンク」のオーダ入力ボタンを押すと、カテゴリ「ドリンク」に属する単語のみを音声認識する方法などにより、所望の商品を選択できる。単語メニューをこのような構成にすると、認識対象語彙を絞ることができるので、誤認識は少なくなる。しかし、操作が煩雑となり、迅速なオーダ入力ができなくなるおそれがある。
【００５０】
一方、単語ファイルを、全てのメニューを含む構成とする場合には、認識率が十分に得られる条件であれば、迅速なオーダ入力ができるので、好ましい。
【００５１】
次に、操作者と客との対応において、このような入力装置の利用例を簡単に紹介する。
（１）客がテーブルについた場合に、操作者はメニューを客に渡し、客の注文を受ける。このとき、本発明の入力装置を開き、キー操作により、テーブル番号や人数などを入力する。つぎに、音声入力ボタンを押して、音声認識を開始して、受けた注文商品を順次入力していく。
【００５２】
（２）操作者が業務を行っているときに、客から問い合わせなどを受けると、操作者が自分では対応できない場合がある。このとき、本発明の音声入力装置を取り出し、閉じた状態のままで、他の店員に音声通話機能を用いて、業務連絡を行う。
【００５３】
上記したように、本実施の形態の入力装置は、本体が閉じた状態での音声入力モードと、本体が開いている状態での音声入力モードとを、本体の開閉状態を判断して、自動的に切り替える。この結果、操作者は、音声入力モードを切り替える必要がなくなるので、操作を簡単にすることができる。なお、本体を開いた状態において、入力モード切り替えキーを設けておくと、音声認識とは異なる入力モードが使用できるので、好ましい。
【００５４】
また、本実施の形態の入力装置は、本体を開いた状態において、音声認識により、メニューやコマンドを入力できる。この結果、タッチキー上のメニューの検索や複数回のキー操作をしなくても、メニューの入力やモードの切り替えを容易に行うことができる。
【００５５】
また、本実施の形態の入力装置は、他方扉体の内面に、図１のタッチキーのように、音声認識に代わる代替入力手段を備える。この結果、周囲が騒がしく、音声認識による入力が困難な場合でも、代替入力手段を用いてメニューなどを入力することができる。
【００５６】
（実施の形態２）
図５は、第２の実施の形態における入力装置の構成を示すブロック図である。図５に示す入力装置１００は、制御部１０１と、マイクロホン１０２と、音声入力ボタン１０３と、開閉センサ１０４と、音声入力部１０５と、入力モード切り替え部１０６ａと、音声認識部１０７ａと、認識辞書および認識辞書切り替え部１０７ｂと、キー１０８と、タッチキー１０９と、音声出力部１１０と、表示部１１１と、通信部１１２とを備える。図５において、入力モード切り替え部１０６ａと、音声認識部１０７ａと、単語辞書および単語辞書切り替え部１０７ｂ以外は、上記実施の形態１と同様である。本実施の形態の入力装置では、例えば、本体を閉じた状態で、音声認識を伴わない２以上の音声入力モードを実行する場合に、本体を開けなくても、音声入力モードを切り替えることができる。
【００５７】
入力モード切り替え部１０６ａは、開閉センサの状態に応じて、認識辞書および認識辞書切り替え部１０７ｂに認識語彙セットを切り替える指示を出力する。また、入力モード切り替え部１０６ａは、上記音声入力部１０５でデジタル化された音声信号を、開閉センサ１０４の状態に応じて、音声認識部１０７ａまたは制御部１０１へ出力する。
【００５８】
音声認識部１０７ａは、上記入力モード切り替え部１０６ａから出力された音声信号を、認識辞書および認識辞書切り替え部１０６ｂに格納されている認識語彙セットと照合し、音声信号を認識して、認識結果を制御部１０１に出力する。
【００５９】
認識辞書および認識辞書切り替え部１０６ｂは、複数の語彙セットを格納しており、上記入力モード切り替え部１０６ａからの指示に基づいて、入力モードに応じた語彙セットに切り替える。
【００６０】
（動作２）
次に、本実施の形態における入力装置の動作を図６のフローチャートを参照して説明する。図６は、第２の実施の形態における入力装置の基本動作を説明するフローチャートである。
【００６１】
まず、ステップＳ３０１で、上記開閉センサ１０４の状態により、本体が閉じた状態か、開いた状態かを判断する。本体が閉じている場合にはステップＳ３０２に進み、開いている場合には、ステップＳ３０８に進む。
【００６２】
ステップＳ３０２で、上記入力モード切り替え部１０６ａからの指示に基づいて、上記認識辞書および認識辞書切り替え部１０７ｂにおいて、音声認識に用いられる認識語彙セットが選択される。図７の語彙セット１が選択される。
【００６３】
ステップＳ３０３で、入力装置は、操作者が、音声入力ボタン１０３の操作を行うまで、待機状態になる。音声入力ボタン１０３が操作されると、ステップＳ３０４に進む。ステップＳ３０４では、音声入力が開始され、音声認識処理が行われる。
【００６４】
ステップＳ３０５で、上記音声認識処理により得られた認識結果が、「音声通信」か、「ボイスメモ」かの判断が行われる。上記認識結果が「音声通信」の場合、ステップＳ３０６に進み、「ボイスメモ」の場合、ステップＳ３０７に進み、それぞれの処理が行われ、全ての処理が終了する。
【００６５】
本体が開いている場合に、ステップＳ３０８では、上記入力モード切り替え部１０６ａの指示に基づいて、上記認識辞書および認識辞書切り替え部１０７ｂにおいて、音声認識に用いられる認識語彙セットが選択される。図７の語彙セット２が選択される。このステップで行われる音声認識モードは、上記したオーダ入力モードなどの音声認識を用いた各種入力モードである。
【００６６】
上記したように、本実施の形態の入力装置では、本体を開いた状態と、閉じた状態とで、認識の対象語彙を切り替えることにより、入力モードに応じて認識辞書を切り替える操作を省略できる。
【００６７】
また、本体を閉じた状態で、音声認識によりコマンドを入力して、モード切り替えを行うことができるので、モード切り替えを行うスイッチを設けない構造にすることができる。特に、本実施の形態の入力装置では、「音声通信」と「ボイスメモ」のように、いずれも音声認識を伴わない音声入力を行う場合でも、入力装置を開けずに、モードが切り替えられるので、有効である。
【００６８】
（実施の形態３）
本実施の形態にかかる入力装置は、本体の形状により、上記実施の形態１および実施の形態２の入力装置を有効に機能させる構造をとる。すなわち、音声を入力するマイクロホンは、一方扉体上に配置され、本体を閉じた状態で、前記マイクロホンが、本体外部に露出している。
【００６９】
具体的には、図１に示すように、一方扉体２０の内面の平面面積が、他方扉体３０の内面の平面面積より大きく、本体を閉じた状態で、前記マイクロホン２５が、本体外部に露出する構造とする。図８は、図１に示す入力装置の閉じた状態を示す外観図である。図８に示すように、マイクロホン２５とスピーカ２６とが、本体を閉じた状態においても、本体外部に露出する構造となる。
【００７０】
あるいは、本実施の形態の入力装置では、他方扉体３０に、マイクロホン２５を覗くことができる開口部３２を設け、本体を閉じた状態で、前記マイクロホン２５が、本体外部に露出する構造としてもよい。図９は、他方扉体に、マイクロホンを覗くことができる開口部が設けられている入力装置の閉じた状態を示す外観図である。図９の例では、開口部３２から、マイクロホン２５とスピーカ２６とが、露出している。
【００７１】
また、図１、図８、図９の例では、一方扉体２０の側面に音声入力ボタン２４を配置している。この結果、本体を閉じた状態、開いた状態、いずれの状態でも、音声入力ボタン２４を操作できるので、音声入力が容易となる。
【００７２】
このように、本発明の入力装置は、本体を閉じた状態でも、開いた状態でも、マイクロホンと音声入力ボタンとが、本体外部に露出する構造とする。この結果、本体が閉じた状態でも、開いた状態でも、音声入力をすることができる。また、本体の正面にマイクロホンが露出するので、音声を入力する際に、入力装置の方向を変えずに、使用することができる。
【００７３】
【発明の効果】
以上説明したように、本発明の入力装置は、本体が閉じた状態での音声入力モードと、本体が開いている状態での音声入力モードとを、本体の開閉状態を判断して、自動的に切り替える。この結果、操作者は、音声入力モードを切り替える必要がなくなるので、操作を簡単にすることができる。
【００７４】
特に、入力装置を開いて、操作者が注文を入力する場合には、注文を入力する場合に使用される音声の入力モードに、入力装置を閉じて、操作者が携帯している場合には、待機中に使用される音声の入力モードに、自動的に切り替えられるので、操作が簡便になる。
【００７５】
また、本発明の入力装置は、本体を閉じた状態でも、開いた状態でも、マイクロホンと音声入力ボタンとが、本体外部に露出する構造とする。この結果、本体が閉じた状態でも、開いた状態でも、音声入力をすることができる。
【図面の簡単な説明】
【図１】図１は、本発明の入力装置の外観を説明するための図である。
【図２】図２は、第１の実施の形態における入力装置の構成を示すブロック図である。
【図３】図３は、第１の実施の形態における入力装置の基本動作を説明するフローチャートである。
【図４】図４は、第１の実施の形態における入力装置の音声認識を用いたオーダ入力処理を説明するフローチャートである。
【図５】図５は、第２の実施の形態における入力装置の構成を示すブロック図である。
【図６】図６は、第２の実施の形態における入力装置の基本動作を説明するフローチャートである。
【図７】図７は、第２の実施の形態における入力装置の単語辞書切り替え部に格納されている語彙セットの例である。
【図８】図８は、図１に示す入力装置の閉じた状態を示す外観図である。
【図９】図９は、他方扉体に、マイクロホンを覗くことができる開口部が設けられている入力装置の閉じた状態を示す外観図である。
【図１０】図１０は、従来のオーダ入力装置の外観図である。
【符号の説明】
１０    入力装置
２０    一方扉体
２１    表示装置
２２    キー
２３    開閉センサ
２４    音声入力ボタン
２５    マイクロホン
２６    スピーカ
３０    他方扉体
３１    タッチキー
３２    開口部
４０    オーダ入力装置
５０    一方の扉体
５１    表示部
５２、６１    押圧メニューキー
６０    他方の扉体
１００    入力装置
１０１    制御部
１０２    マイクロホン
１０３    音声入力部
１０４    開閉センサ
１０５    音声入力部
１０６、１０６ａ    入力モード切り替え部
１０７、１０７ａ    音声認識部
１０７ｂ    認識辞書および認識辞書切り替え部
１０８    キー
１０９    タッチキー
１１０    音声出力部
１１１    表示部
１１２    通信部
２００    サーバ
【図１】
2005018599.tif 000003
【図２】
2005018599.tif 000004
【図３】
2005018599.tif 000005
【図４】
2005018599.tif 000006
【図５】
2005018599.tif 000007
【図６】
2005018599.tif 000008
【図７】
2005018599.tif 000009
【図８】
2005018599.tif 000010
【図９】
2005018599.tif 000011
【図１０】
2005018599.tif 000012